(57)【要約】【課題】重量のある開閉体構造、例えばルーバーユニットを容易に折り畳み開放可能にし、開口部を全開状態にすることが可能な得る。【解決手段】操作グリップ手段１２を操作してルーバーユニット１を開放するとき、ガスダンパ７が伸長して上方のユニットハーフ２を折り畳み方向に押圧して開放の補助を行い、摺動ピン６が第１支点８を通過した後、外力により自然最大伸長量以上（Ｌｍａｘ＋α）にガスダンパを強制伸長させると、下方のユニットハーフ３が窓面または外壁面に対して９０゜の角度をなす死点折り畳み状態になり、この状態を過ぎた後、摺動ピン６は案内レール１１の終点ストッパ１３に向かって自動的に摺動し、折り畳みラインは、初期方向に僅かに戻り、下方のユニットハーフ３が窓面または外壁面に対して９０゜以下の角度をなし、終点ストッパ１３における最終折り畳み位置に自動的にロックされる。【選択図】図４
2010090658.tif 000002
【特許請求の範囲】
【請求項１】
建物の開口部を遮蔽するよう建物の支持体に固定した開閉体構造において、
前記開閉体を、上下または左右の開閉体ハーフにより構成し、各開閉体ハーフは、各開閉体ハーフにおける突き合わせ端部相互を、水平または垂直の回動軸線の周りに相対回動可能にヒンジ連結し、
一方の開閉体ハーフにおける前記突き合わせ端部とは反対側の支持端部を前記支持体に回動可能にヒンジ連結し、
他方の開閉体ハーフにおける前記突き合わせ端部とは反対側端部にそれぞれ設けた１対の摺動ピンを、前記支持体に設けた１対の案内レールに、それぞれ摺動可能に案内し、前記開閉体ユニットを「く」の字状に折り畳んで前記開閉体を開閉可能にし、
前記開閉体が閉鎖状態であるとき、最小長さの収縮状態をとる少なくとも１個のガスダンパにおける一方の端部を、前記一方の開閉体ハーフの前記回動軸線に沿う折り畳みラインに直交する方向に延在する前記支持体の部分に、前記一方の開閉体ハーフにおける突き合わせ端部の近傍位置における第１支点でブラケットを介して、回動可能に連結し、
前記ガスダンパにおける他方の端部を、前記一方の開閉体ハーフに、前記第１支点よりも前記支持端部に近接する位置の第２支点で回動可能に連結し、
前記他方の開閉体ハーフに手動で開閉を補助するための操作グリップ手段を設け、
前記操作グリップ手段を操作して開閉体を開放するとき、前記ガスダンパが伸長して前記一方の開閉体ハーフを折り畳み方向に押圧して開放の補助を行い、前記他方の開閉体ハーフにおける前記摺動ピンが前記第１支点を通過して、ガスダンパが自然最大伸長量となる折り畳み状態に達し、
外力により前記自然最大伸長量以上にごく僅かな量ガスダンパを強制伸長させるとき、他方の開閉体ハーフが前記開口部の平面に対して９０゜の角度をなす死点折り畳み状態になり、この後、前記摺動ピンは案内レールの終点ストッパに向かって自動的に摺動しつつ、前記折り畳みラインは、初期位置の方向に僅かに戻り、前記他方の開閉体ハーフが前記開口部の平面に対して９０゜以下の角度をなし、終点ストッパにおける最終折り畳み位置に自動的にロックされるよう構成した
ことを特徴とする開閉体構造。
【請求項２】
請求項１記載の開閉体構造において、前記開閉体は、窓枠自体または窓枠の外側で建物外壁に固定した支持体に保持する、ルーバーユニットとし、
ルーバーユニットを、上下または左右の２個のユニットハーフにより構成し、各ユニットハーフは、１対の羽根連結部材およびこれら羽根連結部材に連結した一連のルーバー羽根を有するものとし、各ユニットハーフにおける前記羽根連結部材の突き合わせ端部相互を、水平または垂直の回動軸線の周りに相対回動可能にヒンジ連結し、
一方のユニットハーフにおける前記羽根連結部材の前記突き合わせ端部とは反対側の支持端部を前記支持体に回動可能にヒンジ連結し、
他方のユニットハーフにおける前記羽根連結部材の前記突き合わせ端部とは反対側端部にそれぞれ設けた１対の摺動ピンを、前記支持体に設けた１対の案内レールに、それぞれ摺動可能に案内し、前記ルーバーユニットを「く」の字状に折り畳んでルーバーユニットを開閉可能にし、
前記ルーバーユニットが閉鎖状態であるとき、最小長さの収縮状態をとる少なくとも１個のガスダンパにおける一方の端部を、前記一方のユニットハーフの前記回動軸線に沿う折り畳みラインに直交する方向に延在する前記支持体の部分に、前記一方のユニットハーフにおける羽根連結部材の突き合わせ端部の近傍における位置の第１支点でブラケットを介して、回動可能に連結し、
前記ガスダンパにおける他方の端部を、前記一方のユニットハーフの羽根連結部材に、前記第１支点よりも前記羽根連結部材の前記支持端部に近接する位置の第２支点で回動可能に連結し、
前記他方のユニットハーフに手動で開閉を補助するための操作グリップ手段を設け、
前記操作グリップ手段を操作してルーバーユニットを開放するとき、前記ガスダンパが伸長して前記一方のユニットハーフを折り畳み方向に押圧して開放の補助を行い、前記他方のユニットハーフにおける前記摺動ピンが前記第１支点を通過して、ガスダンパが自然最大伸長量となる折り畳み状態に達し、
外力により前記自然最大伸長量以上にごく僅かな量ガスダンパを強制伸長させるとき、他方のユニットハーフが窓面または外壁面に対して９０゜の角度をなす死点折り畳み状態になり、この後、前記摺動ピンは案内レールの終点ストッパに向かって自動的に摺動しつつ、前記折り畳みラインは、初期位置の方向に僅かに戻り、前記他方のユニットハーフが前記窓面または外壁面に対して９０゜以下の角度をなし、終点ストッパにおける最終折り畳み位置に自動的にロックされるよう構成した
ことを特徴とする開閉体構造。
【請求項３】
前記ガスダンパを、左右または上下に１対設けた請求項１または２記載の開閉体構造。
【請求項４】
前記ガスダンパは、防水カバー手段を有するものとした請求項１〜３のうちいずれか一項に記載の開閉体構造。
【請求項５】
前記ガスダンパのダンパシリンダおよびダンパピストンのそれぞれを防水スリーブでカバーし、前記第１支点および第２支点で回動可能に連結する各端部を防水端部キャップでカバーした請求項１〜４のうちいずれか一項に記載の開閉体構造。
【請求項６】
前記摺動ピンは、案内レールに沿って転動する転動ローラを有するものとした請求項１〜５のうちいずれか一項に記載の開閉体構造。
【発明の詳細な説明】
【技術分野】
【０００１】
本発明は、建物の開口部を遮蔽するよう建物の支持体に固定した開閉体構造、とくに窓枠自体または窓枠の外側で建物外壁に固定した支持体に保持する、ルーバーユニットに関する。
【背景技術】
【０００２】
このようなルーバーユニットとしては、ルーバーの各羽根をブラインドのように開閉する機構を設けたものがある。（例えば、特許文献１参照。）
【特許文献１】特開２００８−１４４４４５号公報
【発明の開示】
【発明が解決しようとする課題】
【０００３】
しかし、ルーバーの羽根を開閉する操作機構は構造が複雑であり、ルーバーの羽根を開放状態にしたとしても、羽根自体が存在しているため視界を遮られることは否めず、視界を遮られることなく開放感を味わう、または一斉換気するよう窓を全開にすることは不可能である。
また、ルーバーのような隙間を有するものではなく、単に開口部を開閉可能に遮蔽する比較的重量のある開閉体の場合、手動で開閉するのは大きな労力を必要とする。
【０００４】
したがって、本発明の目的は、重量のある開閉体を容易に開閉することができる開閉体構造、とくに羽根を固定式とし、かつ折り畳み開放可能にし、窓を全開状態にすることが可能なルーバーユニットを得るにある。
【課題を解決するための手段】
【０００５】
この目的を達成するため、本発明は、建物の開口部を遮蔽するよう建物の支持体に固定した開閉体構造において、
前記開閉体を、上下または左右の開閉体ハーフにより構成し、各開閉体ハーフは、各開閉体ハーフにおける突き合わせ端部相互を、水平または垂直の回動軸線の周りに相対回動可能にヒンジ連結し、
一方の開閉体ハーフにおける前記突き合わせ端部とは反対側の支持端部を前記支持体に回動可能にヒンジ連結し、
他方の開閉体ハーフにおける前記突き合わせ端部とは反対側端部にそれぞれ設けた１対の摺動ピンを、前記支持体に設けた１対の案内レールに、それぞれ摺動可能に案内し、前記開閉体ユニットを「く」の字状に折り畳んで前記開閉体を開閉可能にし、
前記開閉体が閉鎖状態であるとき、最小長さの収縮状態をとる少なくとも１個のガスダンパにおける一方の端部を、前記一方の開閉体ハーフの前記回動軸線に沿う折り畳みラインに直交する方向に延在する前記支持体の部分に、前記一方の開閉体ハーフにおける突き合わせ端部の近傍位置における第１支点でブラケットを介して、回動可能に連結し、
前記ガスダンパにおける他方の端部を、前記一方の開閉体ハーフに、前記第１支点よりも前記支持端部に近接する位置の第２支点で回動可能に連結し、
前記他方の開閉体ハーフに手動で開閉を補助するための操作グリップ手段を設け、
前記操作グリップ手段を操作して開閉体を開放するとき、前記ガスダンパが伸長して前記一方の開閉体ハーフを折り畳み方向に押圧して開放の補助を行い、前記他方の開閉体ハーフにおける前記摺動ピンが前記第１支点を通過して、ガスダンパが自然最大伸長量となる折り畳み状態に達し、
外力により前記自然最大伸長量以上にごく僅かな量ガスダンパを強制伸長させるとき、他方の開閉体ハーフが前記開口部の平面に対して９０゜の角度をなす死点折り畳み状態になり、この後、前記摺動ピンは案内レールの終点ストッパに向かって自動的に摺動しつつ、前記折り畳みラインは、初期位置の方向に僅かに戻り、前記他方の開閉体ハーフが前記開口部の平面に対して９０゜以下の角度をなし、終点ストッパにおける最終折り畳み位置に自動的にロックされるよう構成した
ことを特徴とする
【０００６】
上述の目的を達成するため、本発明開閉体は、窓枠自体または窓枠の外側で建物外壁に固定した支持体に保持する、ルーバーユニットとし、ルーバーユニットを、上下または左右の２個のユニットハーフにより構成し、各ユニットハーフは、１対の羽根連結部材およびこれら羽根連結部材に連結した一連のルーバー羽根を有するものとし、各ユニットハーフにおける前記羽根連結部材の突き合わせ端部相互を、水平または垂直の回動軸線の周りに相対回動可能にヒンジ連結し、
一方のユニットハーフにおける前記羽根連結部材の前記突き合わせ端部とは反対側の支持端部を前記支持体に回動可能にヒンジ連結し、
他方のユニットハーフにおける前記羽根連結部材の前記突き合わせ端部とは反対側端部にそれぞれ設けた１対の摺動ピンを、前記支持体に設けた１対の案内レールに、それぞれ摺動可能に案内し、前記ルーバーユニットを「く」の字状に折り畳んでルーバーユニットを開閉可能にし、
前記ルーバーユニットが閉鎖状態であるとき、最小長さの収縮状態をとる少なくとも１個のガスダンパにおける一方の端部を、前記一方のユニットハーフの前記回動軸線に沿う折り畳みラインに直交する方向に延在する前記支持体の部分に、前記一方のユニットハーフにおける羽根連結部材の突き合わせ端部の近傍における位置の第１支点でブラケットを介して、回動可能に連結し、
前記ガスダンパにおける他方の端部を、前記一方のユニットハーフの羽根連結部材に、前記第１支点よりも前記羽根連結部材の前記支持端部に近接する位置の第２支点で回動可能に連結し、
前記他方のユニットハーフに手動で開閉を補助するための操作グリップ手段を設け、
前記操作グリップ手段を操作してルーバーユニットを開放するとき、前記ガスダンパが伸長して前記一方のユニットハーフを折り畳み方向に押圧して開放の補助を行い、前記他方のユニットハーフにおける前記摺動ピンが前記第１支点を通過して、ガスダンパが自然最大伸長量となる状態に達し、
外力により前記自然最大伸長量以上にごく僅かな量ガスダンパを強制伸長させるとき、前記他方のユニットハーフが前記窓面または外壁面に対して９０゜の角度をなす死点折り畳み状態になり、この後、前記摺動ピンは案内レールの終点ストッパに向かって自動的に摺動しつつ、前記折り畳みラインは、初期位置の方向に僅かに戻り、前記他方のユニットハーフが前記窓面または外壁面に対して９０゜以下の角度をなし、終点ストッパにおける最終折り畳み位置に自動的にロックされるよう構成した
ことを特徴とする。
【発明の効果】
【０００７】
本発明によれば、操作グリップ手段を手で持ち、または操作グリップ手段に操作棒のフックを引っ掛けて開閉体またはルーバーユニットを開放するとき、ガスダンパによる伸長力の補助の下で、それほど力を加えることなく、最終折り畳み位置まで開放することができる。したがって、各ルーバー羽根の開閉機構および開閉調整は不要となる。
【発明を実施するための最良の形態】
【０００８】
本発明の好適な実施の形態においては、ガスダンパを、左右または上下に１対設ける。さらに、ガスダンパは、防水カバー手段を有するものとする。このカバー手段としては、蛇腹式ゴムブーツとすることもできるが、好適には、ガスダンパのダンパシリンダおよびダンパピストンのそれぞれを防水スリーブでカバーし、前記第１支点および第２支点で回動可能に連結する各端部を防水端部キャップでカバーする。また、好適には、摺動ピンは、転動ローラを有するものとする。
【実施例】
【０００９】
図１〜図５は、窓枠自体または窓枠の外側で建物外壁に固定した支持体１０（１０Ａ，１０Ｂ）に保持する、本発明によるルーバーユニット１の閉鎖状態から開放状態にいたる各段階を示す図面である。
図１（ａ）は平面図、（ｂ）は窓の内側から見た正面図、（ｃ）は（ｂ）におけるＡ−Ａ線上の断面図、（ｄ）は、図１（ｂ）におけるＢ−Ｂ線上の断面図である。
【００１０】
図示の実施例では、開閉体としてのルーバーユニット１を、上下２個のユニットハーフ２，３により構成し、各ユニットハーフ２，３は、それぞれ１対の羽根連結部材４およびこれら羽根連結部材に連結した一連のルーバー羽根５を有するものとし、各ユニットハーフ２，３における羽根連結部材４の突き合わせ端部２Ａ，３Ａ相互を、水平の回動軸線の周りに相対回動可能にヒンジ連結する。しかし、本発明は、これに限定するものではなく、左右２個のユニットハーフにより構成し、これらユニットハーフ２，３を垂直の回動軸線の周りに回動可能にヒンジ連結することもできる。
【００１１】
ルーバーユニット１が閉鎖状態から開放状態に移行するとき、ユニットハーフ２，３相互がなす角度は、図１の１８０゜から徐々に減少し、図示の実施例では図５の２２．８゜まで減少する。図示の実施例では、このルーバーユニット１に隣接させて設けた、非開閉式の固定ルーバーユニット１Ａをも示す。
【００１２】
上方のユニットハーフ２における羽根連結部材４の突き合わせ端部２Ａとは反対側の支持端部２Ｂを支持体１０Ａに、回動軸１０ａの周りに回動可能にヒンジ連結し、下方のユニットハーフ３における羽根連結部材４の突き合わせ端部３Ａとは反対側端部３Ｂに、ブラケット３Ｃを介してそれぞれ設けた１対の摺動ピン６を、支持体１０の部分１０Ｂに設けた１対の案内レール１１（とくに、図１（ｄ）参照）に、それぞれ摺動可能に案内し、ルーバーユニット１を「く」の字状に折り畳んでルーバーユニットを開閉可能にする。摺動ピン６は、案内レールに沿って転動する転動ローラを有するものとすると好適である。
【００１３】
ルーバーユニット１が閉鎖状態であるとき、最小長さ（Ｌｍｉｎ ）よりも若干長い（Ｌｍｉｎ ＋δ）状態をとるガスダンパ７における一方の端部７Ａを、上方のユニットハーフ２の水平な回動軸線に沿う折り畳みラインに直交する方向に延在する支持体１０の部分１０Ｂに、上方のユニットハーフ２における羽根連結部材４の突き合わせ端部２Ａの近傍における位置、図示の実施例では突き合わせ端部２Ａから反対側端部２Ｂの方向に僅かに寄った位置の第１支点８でブラケット７Ｃを介して、回動可能に連結する。
また、ガスダンパ７における他方の端部７Ｂを、上方方のユニットハーフ２の羽根連結部材４に、第１支点８よりも羽根連結部材４の支持端部２Ｂに近接する位置の第２支点９で回動可能に連結する。
【００１４】
下方のユニットハーフ３には、手動で開閉を補助するための操作グリップ手段１２を設ける。さらに、図示の実施例では、下方のユニットハーフ３の遊端３Ｂに設けた上述のブラケット３Ｃも、この操作グリップ手段１２の一部として構成し、図示しない操作棒のフックを引っ掛けてルーバーユニット１を持ち上げるようにする。
【００１５】
この操作グリップ手段１２を操作してルーバーユニット１を開放するとき、ガスダンパ７が伸長して（Ｌｍｉｎ ＋Δ）、上方のユニットハーフ２を折り畳み方向に押圧して開放の補助を行う（図２参照）。
【００１６】
この後、下方のユニットハーフ３における摺動ピン６が第１支点８を通過して、ガスダンパが自然最大伸長量（Ｌｍａｘ）となる状態に達する（図３参照）。
【００１７】
つぎに、外力により自然最大伸長量以上にごく僅かな量（Ｌｍａｘ ＋α）ガスダンパを強制伸長させると（例えば、αは２〜３ｍｍ）、下方のユニットハーフ３が窓面または外壁面に対して９０゜の角度をなす死点折り畳み状態になる（図４参照）。外力によるこの僅かな量αの伸びは、ガスダンパ自体の伸びおよび／またはガスダンパ７を上方のユニットハーフ２に第１支点８で固定するＬ字状ブラケット７Ｃの撓みが受け持つ。
【００１８】
この状態を過ぎた後、摺動ピン６は案内レール１１の終点ストッパ１３に向かって自動的に摺動しつつ、折り畳みラインは、初期位置の方向に僅かに戻り、ガスダンパの長さが自然最大伸長量よりも僅かに短くなり（Ｌｍａｘ −β）、下方のユニットハーフ３が窓面または外壁面に対して９０゜以下の角度をなし、終点ストッパ１３における最終折り畳み位置（ユニットハーフ２，３がなす角度が最小となる状態）に自動的にロックされる。
【００１９】
図６は、図１のルーバーユニット１を開けた直後、またはルーバーユニット１を閉める直前の状態を示す。この状態では、ガスダンパ７は、最小長さ（Ｌｍｉｎ ）よりも若干長い長さ（Ｌｍｉｎ ＋γ）であり、第１支点８と、ユニットハーフ２の支持端部２Ｂにおける回動軸１０ａとを結ぶ中立（死点）ラインに対して、第２支点９が、図６で見て右側の位置をとる。この状態から、第２支点９が中立（死点）ラインに一致するとき、ガスダンパ７は、最小長さ（Ｌｍｉｎ ）となり、第２支点９が中立（死点）ラインに一致するポイント（死点）を越えて左側に移行することにより、ガスダンパ７が最小長さ（Ｌｍｉｎ ）よりも若干長い（Ｌｍｉｎ ＋δ）となる図１の閉鎖状態にロックされる。
【００２０】
図示の実施例では、ガスダンパ７を片側だけに設けたが、両側１対設けることができる。さらに、図示の実施例において、ガスダンパ７は、ダンパシリンダおよびダンパピストンのそれぞれを防水防塵スリーブでカバーし、第１支点８および第２支点９で回動可能に連結する各端部７Ａ，７Ｂを防水防塵端部キャップ１４でカバーする。防水防塵スリーブは、プラスチック製または防錆処理をした金属製とすることができる。
【産業上の利用可能性】
【００２１】
本発明開閉体構造またはルーバーユニットは、建造物における開口部または壁面、とくに窓の多い壁面を有する建物にルーバーを外装する、または窓自体に装着するのに利用できる。
【図面の簡単な説明】
【００２２】
【図１】窓枠自体または窓枠の外側で建物外壁に固定した支持体に保持する、本発明による開閉体構造であるルーバーユニットの実施例における閉鎖状態を示し、（ａ）は平面図、（ｂ）は窓の内側から見た正面図、（ｃ）は（ｂ）におけるＡ−Ａ線上の断面図、（ｄ）は、図１（ｂ）におけるＢ−Ｂ線上の断面図である。
【図２】本発明による開閉体構造であるルーバーユニットの実施例における半開き状態を示す、図１（ｂ）におけるＡ−Ａ線上の断面図である。
【図３】本発明による開閉体構造であるルーバーユニットの実施例におけるガスダンパが自然最大伸長量となる状態を示す、図１（ｂ）におけるＡ−Ａ線上の断面図である。
【図４】本発明による開閉体構造であるルーバーユニットの実施例におけるガスダンパを外力により自然最大伸長量以上に強制伸長させて、下方のユニットハーフが窓面または外壁面に対して９０゜の角度をなす死点折り畳み状態を示す、図１（ｂ）におけるＡ−Ａ線上の断面図である。
【図５】本発明による開閉体構造であるルーバーユニットの実施例における死点越え最終折り畳み（ロック）状態を示す、図１（ｂ）におけるＡ−Ａ線上の断面図である。
【図６】本発明による開閉体構造であるルーバーユニットの実施例における死点越え初期開放状態を示す、図１（ｂ）におけるＡ−Ａ線上の断面図である。
【符号の説明】
【００２３】
１  ルーバーユニット
２  上方ユニットハーフ
２Ａ  突き合わせ端部
２Ｂ  支持端部
３  下方ユニットハーフ
３Ａ  突き合わせ端部
３Ｂ  反対側端部
３Ｃ  ブラケット
４  羽根連結部材
５  ルーバー羽根
６  摺動ピン
７  ガスダンパ
７Ａ  ガスダンパ端部
７Ｂ  ガスダンパ端部
７Ｃ  ブラケット
８  第１支点
９  第２支点
１０  支持体
１０Ａ  支持体
１０ａ  回動軸
１０Ｂ  支持体
１１  案内レール
１２  操作グリップ手段
１３  終点ストッパ
１４  防水防塵端部キャップ
【図１】
2010090658.tif 000003
【図２】
2010090658.tif 000004
【図３】
2010090658.tif 000005
【図４】
2010090658.tif 000006
【図５】
2010090658.tif 000007
【図６】
2010090658.tif 000008